(57)【要約】【課題】水をオゾンおよび金属イオンのそれぞれを用いることなく効率的に除菌する。【解決手段】除菌容器内には複数の保護筒が収納されている。これら複数の保護筒のそれぞれは冷陰極タイプの紫外線ランプが収納されたものであり、複数の保護筒のうちの少なくとも１つは注入口から除菌容器内に注入された水が当るように配置されている。【選択図】図２
2014079723.tif 000002
【特許請求の範囲】
【請求項１】
両端部のそれぞれが開口する筒状の除菌容器と、
前記除菌容器の一方の端部に設けられ、複数の貫通孔を有する第１の蓋と、
前記除菌容器の他方の端部に設けられ、複数の貫通孔を有する第２の蓋と、
前記除菌容器内に設けられ、前記除菌容器の軸方向に沿って指向する筒状をなすものであって一方の端部が前記第１の蓋の貫通孔内にシール部材を介して水密に支持され且つ他方の端部が前記第２の蓋の貫通孔内にシール部材を介して水密に支持された紫外線を透過可能な複数の保護筒と、
前記除菌容器内に前記第１の蓋の側から水を注入する注入口と、
前記除菌容器内の水を前記第２の蓋の側から排出する排出口と、
前記複数の保護筒内のそれぞれに設けられ、前記保護筒を通して前記除菌容器内の水に紫外線を照射するものであって一方の端部が前記第１の蓋の貫通孔内にランプ固定部材を介して支持され且つ他方の端部が前記第２の蓋の貫通孔内にランプ固定部材を介して支持された冷陰極タイプの紫外線ランプと、
前記除菌容器内に設けられ、前記複数の紫外線ランプのそれぞれから前記保護筒を通して照射された紫外線を反射する反射層を備え、
前記複数の保護筒のうちの少なくとも１つは、前記注入口から前記除菌容器内に注入された水が当る方向に配置されていることを特徴とする除菌浄化装置。
【請求項２】
前記複数の保護筒のうちの少なくとも１つは、前記排出口に対向していることを特徴とする請求項１に記載の除菌浄化装置。
【請求項３】
前記複数の保護筒のそれぞれは、相互に離間していることを特徴とする請求項１または２に記載の除菌浄化装置。
【請求項４】
前記注入口と前記複数の保護筒と前記排出口は、前記除菌容器の軸方向に沿って配列されていることを特徴とする請求項１ないし３のいずれかに記載の除菌浄化装置。
【請求項５】
前記除菌容器は、洗濯機の収納部内に配置され、
前記注入口と前記複数の保護筒と前記排出口は、前記除菌容器を軸方向から見た場合に前記収納部の設置面に対して非直角に交差する直線に沿って配列されていることを特徴とする請求項１ないし３のいずれかに記載の除菌浄化装置。
【発明の詳細な説明】
【技術分野】
【０００１】
実施例は除菌浄化装置に関する。
【背景技術】
【０００２】
例えば洗濯機には除菌浄化装置を備えたものがある。この除菌浄化装置は風呂水を除菌するものであり、風呂水は除菌されることで衣類を洗うための水または衣類をすすぐための水として使用される。
【先行技術文献】
【特許文献】
【０００３】
【特許文献１】特開２０００−７０９２８号公報
【特許文献２】特開２００４−２５０７２号公報
【発明の概要】
【発明が解決しようとする課題】
【０００４】
従来の除菌浄化装置の場合には外部に溜めた風呂水等の水をオゾンまたは金属イオンで除菌している。この風呂水をオゾンで除菌する場合には人体に有害なガスが除菌浄化装置から外部に漏れる虞があり、風呂水を金属イオンで除菌する場合には衣類に金属イオンが付着することで衣類が変色する虞がある。
【課題を解決するための手段】
【０００５】
実施例の除菌浄化装置は、両端部のそれぞれが開口する筒状の除菌容器と、前記除菌容器の一方の端部に設けられ複数の貫通孔を有する第１の蓋と、前記除菌容器の他方の端部に設けられ複数の貫通孔を有する第２の蓋と、前記除菌容器内に設けられ前記除菌容器の軸方向に沿って指向する筒状をなすものであって一方の端部が前記第１の蓋の貫通孔内にシール部材を介して水密に支持され且つ他方の端部が前記第２の蓋の貫通孔内にシール部材を介して水密に支持された紫外線を透過可能な複数の保護筒と、前記除菌容器内に前記第１の蓋の側から水を注入する注入口と、前記除菌容器内の水を前記第２の蓋の側から排出する排出口と、前記複数の保護筒内のそれぞれに設けられ前記保護筒を通して前記除菌容器内の水に紫外線を照射するものであって一方の端部が前記第１の蓋の貫通孔内にランプ固定部材を介して支持され且つ他方の端部が前記第２の蓋の貫通孔内にランプ固定部材を介して支持された冷陰極タイプの紫外線ランプと、前記除菌容器内に設けられ前記複数の紫外線ランプのそれぞれから前記保護筒を通して照射された紫外線を反射する反射層を備え、前記複数の保護筒のうちの少なくとも１つは前記注入口から前記除菌容器内に注入された水が当る方向に配置されているところに特徴を有する。
【図面の簡単な説明】
【０００６】
【図１】実施例１を示す図（洗濯機の内部構成を示す図）
【図２】除菌浄化装置を示す図（ａはＸａ線に沿う断面図、ｂはＸｂ視図）
【図３】左蓋を示す図（ａはＸａ線に沿う断面図、ｂはＸｂ視図）
【図４】図２のＸ４線に沿う断面図
【図５】図２のＸ５線に沿う断面図
【図６】実施例２を示す図（図４相当図）
【図７】実施例３を示す図（図４相当図）
【図８】実施例４を示す図（ａはＸａ線に沿う断面図、ｂはＸｂ視図、ｃはＸｃ視図）
【図９】実施例５を示す図（洗濯機の外観を示す図）
【図１０】操作箱の内部構成を示す図
【発明を実施するための形態】
【実施例１】
【０００７】
図１の外箱１は床面に設置されるものであり、外箱１内には水槽２が収納されている。この水槽２は水道水および風呂水のそれぞれを受けるものであり、底板を有する縦長な円筒状をなしている。この水槽２の底板には水槽２の外部に位置して洗濯モータ３が固定されている。この洗濯モータ３は上下方向へ指向する回転軸４を有するものであり、洗濯モータ３の回転軸４は水槽２内に挿入されている。この洗濯モータ３はクラッチ機構を有するものであり、クラッチ機構は洗いモードおよび脱水モード相互間で機械的な状態が切換えられる。
【０００８】
洗濯モータ３の回転軸４には、図１に示すように、洗濯槽５およびパルセータ６が連結されている。洗濯槽５は底板を有する縦長な円筒状をなすものであり、水槽２内に収納されている。この洗濯槽５は複数の貫通孔を有するものであり、水槽２内の水道水および風呂水のそれぞれは複数の貫通孔を通して水槽２内および洗濯槽５内相互間で流通可能にされている。この洗濯槽５は衣類が投入されるものであり、パルセータ６は洗濯槽５内の底部に収納されている。このパルセータ６は洗濯槽５内の水道水および風呂水のそれぞれを撹拌するものであり、洗濯モータ３はクラッチ機構の洗いモードで運転されることでパルセータ６を洗濯槽５の静止状態で回転操作し、クラッチ機構の脱水モードで運転されることで洗濯槽５およびパルセータ６のそれぞれを回転操作する。
【０００９】
外箱１内には、図１に示すように、給水弁７が固定されている。この給水弁７は入口８を有するものであり、給水弁７の入口８はホースを介して水道の蛇口に接続されている。この給水弁７は注水口９および呼び水口１０を有するものであり、閉鎖状態と注水状態と呼び水状態相互間で切換えられる。この閉鎖状態は注水口９および呼び水口１０のそれぞれが閉鎖された状態であり、注水状態は呼び水口１０の閉鎖状態で注水口９が開放された状態であり、呼び水状態は注水口９の閉鎖状態で呼び水口１０が開放された状態である。
【００１０】
外箱１内には、図１に示すように、注水ケース１１が固定されている。この注水ケース１１はホース１２を介して給水弁７の注水口９に接続されたものであり、給水弁７の注水状態では水道の蛇口から注水口９とホース１２と注水ケース１１のそれぞれを通して水槽２内に水道水が注入される。
【００１１】
外箱１内には、図１に示すように、給水ポンプ１３が固定されている。この給水ポンプ１３はポンプモータを駆動源とするものであり、入口１４と出口１５と呼び水口１６を有している。この給水ポンプ１３の入口１４にはホース１７を介して給水口体１８が接続されている。この給水口体１８は浴槽１９内の風呂水中に沈められるものであり、給水口体１８が風呂水中に沈められた状態でポンプモータが運転された場合には風呂水が給水口体１８からホース１７および入口１４のそれぞれを通して給水ポンプ１３内に吸い上げられる。
【００１２】
給水ポンプ１３の呼び水口１６は、図１に示すように、ホース２０を介して給水弁７の呼び水口１０に接続されたものであり、給水弁７の呼び水状態では水道の蛇口から呼び水口１０とホース２０と呼び水口１６のそれぞれを通して給水ポンプ１３に水道水が呼び水として供給される。このホース２０には逆止弁２１が介在されている。この逆止弁２１は給水弁７の呼び水口１０からホース２０を通して給水ポンプ１３の呼び水口１６に水道水が供給されることを許容するものであり、給水ポンプ１３の呼び水口１６からホース２０を通して給水弁７の呼び水口１０に風呂水が供給されることを禁止する。
【００１３】
外箱１内には、図１に示すように、除菌浄化装置２２が固定されている。この除菌浄化装置２２は入口２３および出口２４を有するものであり、除菌浄化装置２２の入口２３はホース２５を介して給水ポンプ１３の出口１５に接続され、除菌浄化装置２２の出口２４はホース２６を介して注水ケース１１に接続されている。この除菌浄化装置２２はポンプモータが運転された場合に給水ポンプ１３の出口１５からホース２５および入口２３のそれぞれを通して風呂水が注入されるものであり、除菌浄化装置２２内に注入された風呂水は除菌浄化装置２２の出口２４からホース２６および注水ケース１１のそれぞれを通して水槽２内に注入される。
【００１４】
水槽２には、図１に示すように、排水管２７が接続されており、排水管２７には排水弁２８が介在されている。この排水弁２８は閉鎖状態および開放状態相互間で切換えられるものであり、排水弁２８の閉鎖状態では注水ケース１１内から水槽２内に注入された水道水および風呂水のそれぞれが水槽２内に貯留され、排水弁２８の開放状態では排水管２７を通して排出される。
【００１５】
除菌浄化装置２２は風呂水が注入された場合に風呂水を除菌することで浄化するものであり、除菌浄化装置２２が浄化した風呂水は注水ケース１１を通して水槽２内に衣類を洗うための水および衣類をすすぐための水のそれぞれとして注入される。この除菌浄化装置２２の詳細構成は次の通りである。
【００１６】
外箱１内には、図２に示すように、合成樹脂製の除菌容器３１が固定されている。この除菌容器３１は左右方向へ指向する円筒状をなすものであり、左端面および右端面のそれぞれが開口している。この除菌容器３１には左蓋３２および右蓋３３が固定されている。これら左蓋３２および右蓋３３のそれぞれは合成樹脂を材料とするものであり、円筒状の差込口３４を有している。この左蓋３２は除菌容器３１の左端部を左蓋３２の差込口３４の内周面に接着することで除菌容器３１の左端部に固定されたものであり、右蓋３３は除菌容器３１の右端部を右蓋３３の差込口３４の内周面に接着することで除菌容器３１の右端部に固定されている。この左蓋３２は第１の蓋に相当し、右蓋３３は第２の蓋に相当する。
【００１７】
左蓋３２には、図２に示すように、合成樹脂製の入口２３が固定されている。この入口２３は上下方向へ指向する円筒状をなすものであり、入口２３の軸心線は除菌容器３１の軸心線ＣＬに対して直角に交差している。この入口２３は給水ポンプ１３から除菌容器３１内に風呂水を注入するためのものであり、風呂水は給水ポンプ１３の吐出圧で入口２３内を通して下から上へ除菌容器３１の軸心線ＣＬに向けて注入される。この入口２３は注入口に相当する。
【００１８】
右蓋３３には、図２に示すように、合成樹脂製の出口２４が固定されている。この出口２４は上下方向へ指向する円筒状をなすものであり、出口２４の軸心線は除菌容器３１の軸心線ＣＬに対して直角に交差している。この出口２４の軸心線は左右から見た場合に入口２３の軸心線に重なるものであり、風呂水は入口２３内から除菌容器３１内に注入された後に除菌容器３１内を左から右へ流れることで出口２４内に進入し、出口２４内を通して下から上へ除菌容器３１の軸心線ＣＬに対して直角に排出される。この出口２４は排出口に相当する。
【００１９】
左蓋３２および右蓋３３のそれぞれには、図３に示すように、２つの貫通孔３５が形成されている。左蓋３２の２つの貫通孔３５のそれぞれは左右から見て入口２３の軸心線上に配置された円形状をなすものであり、左蓋３２の中心点を挟んで相互に等ピッチで対向配置されている。右蓋３３の２つの貫通孔３５のそれぞれは左右から見て出口２４の軸心線上に配置された円形状をなすものであり、右蓋３３の中心点を挟んで相互に等ピッチで対向配置されている。これら左蓋３２および右蓋３３のそれぞれには２つのストッパ３６が形成されている。これら計４つのストッパ３６のそれぞれは貫通孔３５の内周面から突出する円環状をなすものであり、貫通孔３５内の左右方向の中央部に配置されている。
【００２０】
除菌容器３１内には、図２に示すように、２本の保護管３７が収納されている。これら２本の保護管３７のそれぞれは円筒状をなすものであり、紫外線を透過可能な透明な合成樹脂を材料に成形されている。これら２本の保護管３７のそれぞれには左端部および右端部に位置してシール部材３８が固定されている。これら計４つのシール部材３８のそれぞれは円環状をなすものであり、除菌容器３１内に向けて開口する円環状の凹部を有している。これら４つのシール部材３８のそれぞれの凹部内には保護管３７が挿入されており、シール部材３８は保護管３７に弾性復元力で密着することで水密状態に固定されている。この保護管３７は保護筒に相当する。
【００２１】
左蓋３２の２つのそれぞれの貫通孔３５内および右蓋３３の２つのそれぞれの貫通孔３５内には、図２に示すように、保護管３７のシール部材３８が挿入されている。これら４つのシール部材３８のそれぞれは貫通孔３５の内周面に弾性復元力で密着することで水密状態に固定されたものであり、２つの保護管３７のそれぞれはシール部材３８がストッパ３６に接触することで除菌容器３１に対して左右方向の目標位置に配置されている。即ち、２本の保護管３７のそれぞれはシール部材３８を介して左蓋３２の貫通孔３５内および右蓋３３の貫通孔３５内に支持されたものであり、２本の保護管３７のそれぞれは保護管３７の軸心線が除菌容器３１の軸心線ＣＬに対して平行となるように上下方向に並べて配置されている。
【００２２】
２本の保護管３７のうち下側の１本は、図４に示すように、左右から見て中心点が入口２３の軸心線上に重なるように配置されたものである。この下側の保護管３７は入口２３に上方から対向するものであり、風呂水は入口２３から除菌容器３１内に進入することで下側の保護管３７の表面に当る方向に注入され、下側の保護管３７の表面に当ることで下側の保護管３７の前側および後側に分岐する（矢印参照）。２本の保護管３７のうち上側の１本は、図５に示すように、左右から見て中心点が出口２４の軸心線上に重なるように配置されたものであり、出口２４に下方から対向している。
【００２３】
２本の保護管３７内のそれぞれには、図２に示すように、冷陰極タイプの紫外線ランプ３９が収納されている。これら２本の紫外線ランプ３９のそれぞれは円筒状をなすガラス管の両端部に電極４０を固定してなるものであり、２本のガラス管のそれぞれは紫外線を透過可能な石英ガラスを材料に成形されている。これら２本のガラス管のそれぞれの一端部の電極４０は左蓋３２の貫通孔３５内に右から挿入されたものであり、左端部が左蓋３２のストッパ３６を通してストッパ３６の左側に突出している。これら２本のガラス管のそれぞれの他端部の電極４０は右蓋３３の貫通孔３５内に左から挿入されたものであり、右端部が右蓋３３のストッパ３６を通してストッパ３６の右側に突出している。
【００２４】
左蓋３２の２つのそれぞれの貫通孔３５内および右蓋３３の２つのそれぞれの貫通孔３５内には、図２に示すように、円環状のランプ固定部材４１が挿入されている。これら計４つのランプ固定部材４１のそれぞれは左蓋３２および右蓋３３に比べて弾性に富んだゴムを材料とするものであり、左蓋３２の２つのランプ固定部材４１のそれぞれは左蓋３２のストッパ３６に左から接触することで左右方向の目標位置に配置され、右蓋３３の２つのランプ固定部材４１のそれぞれは右蓋３３のストッパ３６に右から接触することで左右方向の目標位置に配置されている。
【００２５】
４つのランプ固定部材４１のそれぞれの外周面は、図２に示すように、貫通孔３５の内周面に弾性復元力で密着している。これら４つのランプ固定部材４１のそれぞれの内周面は紫外線ランプ３９の電極４０の外周面を構成するガラス管に弾性復元力で密着しており、２本の紫外線ランプ３９のそれぞれの左端部はランプ固定部材４１の弾性復元力で左蓋３２に水密状態に固定され、２本の紫外線ランプ３９のそれぞれの右端部はランプ固定部材４１の弾性復元力で右蓋３３に水密状態に固定されている。即ち、２本の紫外線ランプ３９のそれぞれは２つのランプ固定部材４１を介して左蓋３２および右蓋３３に保護管３７に対して同軸に支持されたものであり、２本の保護管３７のそれぞれは紫外線ランプ３９が風呂水で濡れることを防止すると共に紫外線ランプ３９が外力で破損することを防止する。
【００２６】
２本の紫外線ランプ３９のそれぞれのガラス管はアルゴン等の不活性ガスおよび水銀が封入されたものである。これら２本の紫外線ランプ３９のそれぞれの２つの電極４０は電源に配線を介して接続されたものであり、２本の紫外線ランプ３９のそれぞれの２つの電極４０相互間に電圧が印加された場合にはガラス管内の初期電子が加速されることで水銀とぶつかる。この初期電子が水銀とぶつかった場合には水銀が励起されることで紫外線が発生し、紫外線がガラス管および保護管３７を通して除菌容器３１内に照射される。即ち、２本の紫外線ランプ３９のそれぞれは風呂水が給水ポンプ１３の吐出圧で除菌容器３１内を左から右へ流れる場合に除菌容器３１内の風呂水に紫外線を照射するものであり、風呂水は除菌容器３１内で紫外線が照射されることで除菌される。
【００２７】
除菌容器３１内には、図２に示すように、反射管４２が収納されている。この反射管４２は左右方向へ指向する円筒状をなすものであり、左端面および右端面のそれぞれが開口している。この反射管４２は除菌容器３１に比べて紫外線の反射率が高いアルミニウムを材料とするものであり、反射管４２の外径寸法は除菌容器３１の内径寸法に比べて小さく設定され、反射管４２の軸方向の長さ寸法は２本の紫外線ランプ３９のそれぞれの軸方向の長さ寸法に比べて短く設定されている。この反射管４２は反射層に相当する。
【００２８】
反射管４２には、図２に示すように、左端部および右端部に位置してシール部材４３が固定されている。これら２つのシール部材４３のそれぞれは円環状をなすものであり、除菌容器３１内に向けて開口する凹部を有している。これら２つのシール部材４３のそれぞれの凹部内には反射管４２が挿入されており、２つのシール部材４３のそれぞれは反射管４２に弾性復元力で密着することで水密状態に固定されている。
【００２９】
左蓋３２および右蓋３３のそれぞれには、図３に示すように、差込口３４の内側に位置して凹部４４が形成されている。これら２つの凹部４４のそれぞれは除菌容器３１内に向けて開口する円環状をなすものであり、２つの凹部４４内のそれぞれには、図２に示すように、反射管４２のシール部材４３が挿入されている。これら２つのシール部材４３のそれぞれは凹部４４の内周面に弾性復元力で密着することで水密状態に固定されたものであり、反射管４２はシール部材４３が凹部４４の底面に接触することで除菌容器３１に対して左右方向の目標位置に配置されている。
【００３０】
反射管４２は、図２に示すように、左蓋３２および右蓋３３にシール部材４３を介して支持されたものであり、除菌容器３１に対して同軸に配置されている。この反射管４２は２つの紫外線ランプ３９のそれぞれから保護管３７を通して除菌容器３１内に照射された紫外線を除菌容器３１の内部に向けて反射するものであり、風呂水に対する紫外線の照射量を増やすことで除菌浄化装置２２の殺菌能力を高める。この反射管４２は除菌容器３１に対する紫外線の直接的な照射量を低く抑えるものであり、除菌容器３１が紫外線で劣化することを防止する。
【００３１】
上記実施例１によれば次の効果を奏する。
除菌容器３１内の紫外線ランプ３９から除菌容器３１内の風呂水に紫外線を照射したので、風呂水をオゾンおよび金属イオンのそれぞれを用いることなく除菌できる。しかも、次の１）〜２）の手順で除菌浄化装置２２を組立てることができるので、除菌浄化装置２２の組立てが容易になる。
１）除菌容器３１の右端部に右蓋３３を固定する。この除菌容器３１の左端部には左蓋３２が固定され、左蓋３２の凹部４４内にはシール部材４３を介して反射管４２の左端部が固定され、左蓋３２の２つの貫通孔３５内のそれぞれにはシール部材３８を介して保護管３７の左端部が固定されており、除菌容器３１の右端部に右蓋３３を固定することで右蓋３３の凹部４４内にシール部材４３を介して反射管４２の右端部が固定され、右蓋３３の２つの貫通孔３５内のそれぞれにシール部材３８を介して保護管３７の右端部が固定される。
２）２本の保護管３７内のそれぞれに左蓋３２の貫通孔３５または右蓋３３の貫通孔３５を通して紫外線ランプ３９を挿入し、左蓋３２の２つの貫通孔３５内および右蓋３３の２つの貫通孔３５内のそれぞれにランプ固定部材４１を押込むことで２本の紫外線ランプ３９のそれぞれを固定する。
【００３２】
洗浄およびすすぎ性能を満たす上で洗濯機の節水には限界があるが、入浴後の豊富な風呂水を再利用することで洗濯用の水道水を節水することが可能である。この入浴後の風呂水は雑菌が多く繁殖しているため、それを用いた洗濯は衛生的と言えず、それらの水を衛生的に再利用するためには浄化処理が必要である。この浄化方法として紫外線を用いた除菌は広く知られているが、波長２５４ｎｍの殺菌紫外線を発生する光源はランプ状のものしかなく、ガラス割れ等の虞がある。従って、振動体である洗濯機に紫外線ランプを搭載するにはガラス割れ対策が必要であり、紫外線ランプが万が一割れた場合のガラスの飛散対策も必要である。これに対して紫外線ランプ３９を保護管３７内に収納したので、紫外線ランプ３９が外力で破損することを防止できる。
【００３３】
紫外線ランプには熱陰極および冷陰極の２タイプがある。前者はガラス管のフィラメントを熱することで熱電子を取出すものであり、熱電子が水銀にぶつかることで水銀が励起されて紫外線が発生する。後者はガラス管内の電極に高電圧を印加することでガラス管内の初期電子を加速するものであり、初期電子が水銀とぶつかることで水銀が励起されて紫外線が発生する。熱陰極タイプの紫外線ランプの場合にはフィラメントが加熱される。このため、発熱量が高い、熱せられたフィラメントに振動が加わることでフィラメントが破損する等の欠点があり、振動体である洗濯機に搭載するには不向きである。これに対して紫外線ランプ３９として冷陰極タイプのものを用いた。この冷陰極タイプの紫外線ランプ３９はフィラメントを備えていないので、発熱量が低くなると共にフィラメントが振動で破損することもなくなる。
【００３４】
冷陰極タイプの紫外線ランプ３９は熱陰極タイプの紫外線ランプに比べて紫外線の発生量が少なく、除菌能力が低い欠点がある。これに対して除菌容器３１内に複数本の紫外線ランプ３９を収納した。このため、除菌容器３１内の風呂水に多量の紫外線が照射されるので、冷陰極タイプの紫外線ランプ３９であっても高い除菌性能が得られる。しかも、２本の保護管３７のうち下側の１本を入口２３からの水が当る方向に対向配置したので、風呂水が入口２３を通して下側の保護管３７にぶつかることで下側の保護管３７の前側および後側に分岐して流れるようになる。しかも、除菌容器３１内に反射管４２を設けたので、紫外線が除菌容器３１を透過して外部に漏れることがなくなる。従って、除菌容器３１内の風呂水に対する紫外線の照射効率が高まるので、より高い除菌性能が得られる。
【００３５】
２本の保護管３７のうち上側の１本を出口２４に対向配置したので、上側の保護管３７内の紫外線ランプ３９から出口２４内の風呂水にも紫外線が照射されるようになる。従って、風呂水に対する紫外線の照射効率が高まるので、この点からも高い除菌性能が得られる。２本の保護管３７のそれぞれを相互に離間させた。このため、一方の紫外線ランプ３９から照射された紫外線が他方の紫外線ランプ３９中の水銀に吸収されることを防止できるので、２本の紫外線ランプ３９のそれぞれからの紫外線の照射量が低下することを防止できる。しかも、２本の保護管３７のそれぞれに対する風呂水の接触面積が増える。従って、除菌容器３１内の風呂水に対する紫外線の照射効率が高まるので、この点からも高い除菌性能が得られる。
【実施例２】
【００３６】
除菌浄化装置２２の除菌容器３１内には、図６に示すように、３本の保護管３７が収納されている。これら３本の保護管３７のそれぞれの左端部はシール部材３８を介して左蓋３２の貫通孔３５内に固定されたものであり、３本の保護管３７のそれぞれの右端部はシール部材３８を介して右蓋３３の貫通孔３５内に固定されている。これら３本の保護管３７内のそれぞれには紫外線ランプ３９が収納されている。これら３本の紫外線ランプ３９のそれぞれの左端部の電極４０はランプ固定部材４１を介して左蓋３２の貫通孔３５内に固定されたものであり、３本の紫外線ランプ３９のそれぞれの右端部の電極４０はランプ固定部材４１を介して右蓋３３の貫通孔３５内に固定されている。
【００３７】
３本の保護管３７および３本の紫外線ランプ３９のそれぞれは、図６に示すように、除菌容器３１に対して平行に配置されたものであり、３本の保護管３７のそれぞれは内部の紫外線ランプ３９に対して同軸に配置されている。これら３本の保護管３７のうち下側の１本は入口２３に上方から対向しており、風呂水は入口２３内を通して下側の１本の保護管３７に当ることで下側の１本の保護管３７の前側および後側に分岐する。この下側の保護管３７の前側に分岐した風呂水は前側の保護管３７に当り、後側に分岐した風呂水は後側の保護管３７に衝突する（矢印参照）。
【００３８】
上記実施例２によれば次の効果を奏する。
３本の保護管３７のうち下側の１本を入口２３に対向配置したので、風呂水が入口２３を通して下側の保護管３７にぶつかることで下側の保護管３７の前側および後側に分岐して流れるようになる。しかも、３本の保護管３７のそれぞれを相互に離間させたので、１本の紫外線ランプ３９から照射された紫外線が残りの紫外線ランプ３９中の水銀に吸収されることを防止できる。従って、除菌容器３１内の風呂水に対する紫外線の照射効率が高まるので、高い除菌性能が得られる。
【実施例３】
【００３９】
除菌浄化装置２２の除菌容器３１内には、図７に示すように、４本の保護管３７が収納されている。これら４本の保護管３７のそれぞれの左端部はシール部材３８を介して左蓋３２の貫通孔３５内に固定されたものであり、４本の保護管３７のそれぞれの右端部はシール部材３８を介して右蓋３３の貫通孔３５内に固定されている。これら４本の保護管３７内のそれぞれには紫外線ランプ３９が収納されている。これら４本の紫外線ランプ３９のそれぞれの左端部の電極４０はランプ固定部材４１を介して左蓋３２の貫通孔３５内に固定されたものであり、４本の紫外線ランプ３９のそれぞれの右端部の電極４０はランプ固定部材４１を介して右蓋３３の貫通孔３５内に固定されている。
【００４０】
４本の保護管３７および４本の紫外線ランプ３９のそれぞれは、図７に示すように、除菌容器３１に対して平行に配置されたものであり、４本の保護管３７のそれぞれは内部の紫外線ランプ３９に対して同軸に配置されている。これら４本の保護管３７のうち上側の１本は出口２４に下方から対向しており、上側の保護管３７内の紫外線ランプ３９は出口２４内の風呂水に向けて紫外線を照射する。
【００４１】
４本の保護管３７のうち下側の１本は、図７に示すように、入口２３に上方から対向しており、風呂水は入口２３内を通して下側の保護管３７に当ることで下側の保護管３７の前側および後側に分岐する。この下側の保護管３７の前側に分岐した風呂水は前側の保護管３７に当り、下側の保護管３７の後側に分岐した風呂水は後側の保護管３７に当る（矢印参照）。
【００４２】
上記実施例３によれば次の効果を奏する。
４本の保護管３７のうち下側の１本を入口２３に対向配置したので、風呂水が入口２３を通して下側の保護管３７にぶつかることで下側の保護管３７の前側および後側に分岐して流れるようになる。しかも、４本の保護管３７のうち上側の１本を出口２４に対向配置したので、上側の保護管３７内の紫外線ランプ３９から出口２４内の風呂水にも紫外線が照射されるようになる。しかも、４本の保護管３７のそれぞれを相互に離間させたので、１本の紫外線ランプ３９から照射された紫外線が残りの紫外線ランプ３９中の水銀に吸収されることを防止できる。従って、除菌容器３１内の風呂水に対する紫外線の照射効率が高まるので、高い除菌性能が得られる。
【実施例４】
【００４３】
除菌浄化装置２２の左蓋３２には、図８に示すように、入口５１が形成されている。この入口５１は除菌容器３１内に風呂水を注入するためのものであり、ホース２５を介して給水ポンプ１３の出口１５に接続されている。この入口５１は左右方向へ指向する円筒状をなすものであり、除菌容器３１と２本の保護管３７と２本の紫外線ランプ３９と反射管４２のそれぞれに対して平行に配置されている。この入口５１は２本の保護管３７のうち下側の１本の下側に配置されたものである。この入口５１の中心点は２本の保護管３７の中心点を通る１本の直線上に配置されており、風呂水は入口２３を通して除菌容器３１内に注入されることで２本の保護管３７のうち下側の１本にぶつかる。
【００４４】
除菌浄化装置２２の右蓋３３には、図８に示すように、出口５２が形成されている。この出口５２は除菌容器３１内から風呂水を排出するためのものであり、ホース２６を介して注水ケース１１に接続されている。この出口５２は左右方向へ指向する円筒状をなすものであり、除菌容器３１と２本の保護管３７と２本の紫外線ランプ３９と反射管４２のそれぞれに対して平行に配置されている。この出口５２は２本の保護管３７のうち上側の１本の上側に配置されたものであり、出口５２の中心点は２本の保護管３７の中心点を通る１本の直線上に配置されている。この出口５２は排出口に相当し、入口５１は注入口に相当する。
【００４５】
上記実施例４によれば次の効果を奏する。
２本の保護管３７のうち下側の１本を風呂水が入口５１を通してぶつかるように配置したので、風呂水が下側の保護管３７にぶつかることで下側の保護管３７の前側および後側に分岐して流れるようになる。従って、除菌容器３１内の風呂水に対する紫外線の照射効率が高まるので、高い除菌性能が得られる。
【００４６】
入口５１と２本の保護管３７と出口５２を除菌容器３１の軸方向に沿って配列した。このため、入口５１から除菌容器３１内に風呂水が注入されるときの下側の保護管３７による圧力損失が小さくなるので、風呂水の粘性が高い場合であっても風呂水が除菌容器３１内を左から右へ円滑に流れることで出口５２から排出されるようになる。従って、風呂水の粘性が高い場合であっても高い除菌性能が得られる。
【実施例５】
【００４７】
外箱１の後端部には、図９に示すように、操作箱６１が固定されている。この操作箱６１は左右から見て台形状をなすものであり、左右方向へ指向している。この操作箱６１は使用者が操作可能な複数のスイッチを保持するものであり、複数のスイッチの操作内容に応じて運転コース等が設定される。この操作箱６１は、図１０に示すように、水平な底面６２を有するものであり、操作箱６１は収納部に相当し、底面６２は設置面に相当する。
【００４８】
操作箱６１内には、図１０に示すように、除菌浄化装置２２が収納されている。この除菌浄化装置２２は固定部材６３を介して操作箱６１内に固定されたものであり、２本の紫外線ランプ３９は前から後に向けて上昇傾斜する直線に沿って配列されている。
【００４９】
除菌浄化装置２２の左蓋３２には、図１０に示すように、前後方向へ指向する円筒状の入口６４が固定され、右蓋３３には前後方向へ指向する円筒状の出口６５が固定されており、左右から見た場合に入口６４と２本の保護管３７と出口６５は操作箱６１の底面６２に対して非直角に交差する直線に沿って配列されている。入口６４は除菌容器３１内に風呂水を注入するためのものであり、ホース２５を介して給水ポンプ１３の出口１５に接続されている。出口６５は除菌容器３１内から風呂水を排出するためのものであり、ホース２６を介して注水ケース１１に接続されている。この出口６５は排出口に相当し、入口６４は注入口に相当する。
【００５０】
２本の保護管３７のうち下側の１本は、図１０に示すように、左右から見て入口６４を後方に延長してなる延長領域内に一部が進入するように入口６４に対向しており、風呂水は入口６４内を通して下側の１本の保護管３７に当ることで下側の１本の保護管３７の斜め上側および斜め下側に分岐する（矢印参照）。２本の保護管３７のうち上側の１本は左右から見て出口６４を前方に延長してなる延長領域内に一部が進入するように出口６５に対向しており、上側の１本の保護管３７内の紫外線ランプ３９は出口６５内の風呂水に向けて紫外線を照射する。
【００５１】
上記実施例５によれば次の効果を奏する。
除菌容器３１を軸方向から見た場合に入口６４と２本の保護管３７と出口６５を操作箱６１の底面６２に対して斜めに配列した。このため、除菌容器３１を軸方向から見た場合の入口６４の先端から出口６５の先端までの前後方向の幅寸法が小さく抑えられるので、操作箱６１内の限られたスペース内に除菌浄化装置２２を収納することができる。特にこの種の操作箱６１は操作面が傾斜していることから、操作箱６１の内部スペースの形状に合わせて効率良く収納することができる。
【００５２】
２本の保護管３７のうち下側の１本を入口６４に対向配置したので、風呂水が下側の保護管３７にぶつかることで下側の保護管３７の斜め上側および斜め下側に分岐して流れるようになる。しかも、２本の保護管３７のうち上側の１本を出口６５に対向配置したので、上側の保護管３７から出口６５内の風呂水に紫外線が照射される。従って、除菌容器３１内の風呂水に対する紫外線の照射効率が高まるので、高い除菌性能が得られる。
【００５３】
上記実施例１〜５のそれぞれにおいては、除菌容器３１の内周面にアルミニウム等を蒸着することで反射層を形成しても良い。
上記実施例１〜５のそれぞれにおいては、保護管３７を石英ガラスまたはＰＦＡ（ペルフルオロアルコキシフッ素樹脂）または四フッ化エチレン・六フッ化プロピレン共重合体）等の紫外線を透過可能な材料から成形しても良い。また、紫外線ランプ３９のガラス管についても、石英ガラスに限らず、ホウ珪酸ガラス等の他の材料で成形しても良い。
【００５４】
上記実施例１〜５のそれぞれにおいては、水を除菌することで飲料水とする除菌浄化装置または汚水を除菌する除菌浄化装置に本発明を適用しても良い。特に汚水は粘性が高く、汚水を除菌するには実施例４の除菌浄化装置２２が好適する。
【００５５】
上記実施例１〜５のそれぞれにおいては、除菌の対象として風呂水を例に説明したが、一度すすぎに使用した水や雨水等であっても良い。
上記実施例１〜５のそれぞれにおいては、風呂水が入口２３等から２本以上の保護管３７のそれぞれに当るように２本以上の保護管３７を入口２３等に対向配置しても良い。
【００５６】
以上に説明した除菌浄化装置２２は上記実施例にのみ限定されるものではなく、要旨を逸脱しない範囲内で適宜変更して実施し得る。実施例は例として提示したものであり、発明の範囲を限定することは意図していない。この新規な実施例はその他の様々な例で実施されることが可能であり、発明の要旨を逸脱しない範囲で種々の省略、置き換え、変更を行うことができる。これら実施例やその変形例は発明の範囲や要旨に含まれると共に特許請求の範囲に記載された発明とその均等の範囲に含まれる。
【符号の説明】
【００５７】
２２は除菌浄化装置、２３は入口（注入口）、２４は出口（排出口）、３１は除菌容器、３２は左蓋（第１の蓋）、３３は右蓋（第２の蓋）、３５は貫通孔、３７は保護管（保護筒）、３８はシール部材、３９は紫外線ランプ、４１はランプ固定部材、４２は反射管（反射層）、５１は入口（注入口）、５２は出口（排出口）、６１は操作箱（収納部）、６２は底面（設置面）、６４は入口（注入口）、６５は出口（排出口）である。
【図１】
2014079723.tif 000003
【図２】
2014079723.tif 000004
【図３】
2014079723.tif 000005
【図４】
2014079723.tif 000006
【図５】
2014079723.tif 000007
【図６】
2014079723.tif 000008
【図７】
2014079723.tif 000009
【図８】
2014079723.tif 000010
【図９】
2014079723.tif 000011
【図１０】
2014079723.tif 000012